【事件の表示】
　平成１１年特許願第２９６２０５号「遊技機」拒絶査定不服審判事件〔平成１３年　４月２４日出願公開、特開２００１−１１３００５〕について、次のとおり審決する。
【結　論】
　本件審判の請求は、成り立たない。
【理　由】
１．手続の経緯、本願発明 
　本願は、平成１１年１０月１９日に出願され、平成１１年１０月２２日に手続補正がなされ、平成１３年１１月２２日付の拒絶理由通知に対し平成１４年２月１日に手続補正がなされ、平成１４年６月４日付で拒絶査定がなされ、平成１４年７月１１日に拒絶査定に対する審判請求がなされると共に平成１４年８月９日に明りょうでない記載の釈明を目的とする手続補正がなされたものであって、その請求項１に係る発明（以下、「本願発明」という。）は、平成１４年８月９日付の手続補正書の請求項１に記載された次のとおりのものである。
　　　　　　　　　
「【請求項１】　コードコネクタを介して電気接合される電気回路に、ＬＥＤ等の電気部品が電気的に接続され、固定体に取付けられる電気配線基板を有する遊技機であって、
　　前記コードコネクタの配線取り出し口は、電気配線基板の表面側であり且つ側方を向く構成とし、かつ、電気配線基板の側端部にコードコネクタの幅よりも小さな幅の切り欠き部を設け、
　配線コードの端部に接続の配線端子コネクタを前記コードコネクタに結合するとともに、前記切り欠き部を介して、前記配線コードを電気配線基板の裏側に導くことを特徴とする遊技機。」
　　　　　　　　　　　　　　　　
２．引用例 
　原査定の拒絶の理由で引用された特開平１１−１９２３６４号公報（以下、「引用例」という。）には、図面とともに以下の記載がある。 
　　　　　　　　　　　　 　　　
（記載事項ａ） 
「【請求項１】  コードコネクタを介して電気接合される電気回路を形成し、ランプ等の電気部品が前記電気回路を介して電気的に接続され、裏面側からビス等で固定体に取り付けられる遊技機の電気配線基板において、
前記コードコネクタを電気配線基板の表面側に設け、
配線コードの端部に接続の配線端子コネクタを前記コードコネクタに結合すると共に、配線コードを前記電気配線基板の表面側から裏側に配線することを特徴とする遊技機の電気配線基板。
【請求項２】  電気配線基板の縁部に配線コードを挿通可能な挿通孔を形成することを特徴とする請求項１の遊技機の電気配線基板。」（特許請求の範囲）
　　　　　　　　　　　　　　　　
（記載事項ｂ）
「【発明の実施の形態】図１（正面図）は遊技機としてのパチンコ機１を示し、このパチンコ機１は、カードユニット２０と対をなし、このカードユニット２０にはカードリーダ（図示略）が内蔵してある。又、このカードユニット２０の正面パネル２１には、このカードユニットの作動が有効であるときの表示ランプやカード挿入口２２が設けてある。一方、パチンコ機の前面パネル１１に取り付けてある供給皿１２には、前記カードユニット２０の操作釦等が配設してあり、具体的には、前記カード挿入口２２に挿入されたカードの残高（度数）等を表示する表示器１３ａ、遊技者の操作によりカードユニット２０を介してパチンコ機に貸球を供給する変換釦１３ｂ、カード返却用の返却釦１３ｃが設けてある。」（段落【０００５】）
　　　　　　　　　　　　　　　　
（記載事項ｃ）
「　普通入賞口９ａは合成樹脂等で製作され、頂部に遊技球の受入口５１、その下部に後述のランプ６４の頂部が見えるランプ孔５２が形成してあり、遊技板（図示略）にビス孔５３を介してビス止めされる。一方、この普通入賞口９ａの裏面側に取り付ける電気配線基板６０は、合成樹脂製のプリント基板であって、裏面側６０ｂにプリント配線（図示略）が施してある。又、電気配線基板６０の表面側６０ａには、前記プリント配線に電気的に接続の雄型ピンのランプコネクタ６１と雄型ピンのコードコネクタ６２が取り付けてある。又、電気配線基板６０の上部には、前記普通入賞口９ａに取り付けるビス孔６３が形成してある。
電気配線基板６０には、配線端子コネクタ６７Ａを取り付けた状態の配線コード６８をコードコネクタ６２に結合し、且つ、電気配線基板６０の裏面側に導くことを可能とする挿通孔６６が、前記コードコネクタ６２と離隔した位置に形成してある。更に、この挿通孔６６は、電気配線基板６０の縁部に形成の切欠部６６ａに連通している。尚、他の配線端子コネクタ６７Ｂは図示略の電源コネクタと結合する。
又、前記挿通孔６６は、配線コード６８を電気配線基板６０の表面側から裏面側に導くことができるように形成すればよいため種々の形態が可能であり、例えば、図２（Ａ）に示すように切欠部６６ａに連通して配線コード６８を挿通可能な大きさに形成したり、或は、電気配線基板６０に空間があれば、図２（Ｃ）に示すように、切欠部６６ａを形成せず、配線端子コネクタ６７Ｂが挿通可能な大きさの挿通孔６６Ａに形成することもできる。更には、図２（Ｄ）に示す挿通孔６６Ｓ、６６Ｔ、６６Ｕの３個以上（奇数個）を形成することによって、配線コード６８を電気配線基板６０の表側６０ａから裏面側に挿通孔６６Ｕを通し、挿通孔６６Ｔを裏面側から表面側に、そして、挿通孔６６Ｓを表面側から裏面側に挿通することによって、配線コード６８を引っ張っても、それらの挿通孔６６Ｓ、６６Ｔ、６６Ｕによって、配線端子コネクタ６７Ａに殆ど引っ張り力がかからず抜けることがない。
次に、前記構成の電気配線基板６０の取付け方について説明すると、先ず、ランプ６４をランプコネクタ６１に差し込み、コードコネクタ６２に配線端子コネクタ６７Ａを結合し、配線コード６８を切欠部６６ａから挿通孔６６に装着すると、配線コード６８は電気配線基板６０の表面側６０ａから裏面側６０ｂに配線することとなる（図３（Ｃ））。尚、この電気配線基板６０の縁部に、図２（Ａ）に示す配線コード６８を挿通可能な挿通孔６６を形成してあると、配線コード６８の両端に配線端子コネクタ６７Ａ、６７Ｂを付設してあっても、容易に、電気配線基板６０の表面側６０ａから裏面側６０ｂに配線することができる。そして、電気配線基板６０の表面側６０ａを普通入賞口９ａの裏側に装着するために、ビス孔６３を介して、普通入賞口９ａ（固定体）にビス止めすることによって、ランプ６４は普通入賞口９ａに形成のランプ孔５２から観ることができ、前記配線端子コネクタ６７Ｂを電源コネクタ（図示略）と結合することによって、前記ランプ６４は点灯可能となる。」（段落【００１０】〜【００１３】）
　　　　　　　　　　　　　　　
（記載事項ｄ）
「　以上のように、電気配線基板６０の表面側６０ａに、同じコードコネクタ６２を設けることによって、ランプ６４を取り付ける電気配線基板６０は一種類でよく、種々のパチンコ機に対する配線コード６８は長さを異に形成すればよいため、容易に対応できる。又、配線コード６８を挿通孔６６を介して電気配線基板６０の表面側６０ａから裏面側６０ｂに配線することによって、遊技店の係員が機構板を開けて点検や掃除を行うとき、配線コード６８を引っ掛けても、配線端子コネクタ６７Ａは電気配線基板６０の表面側６０ａにあり、且つ、配線コード６８は挿通孔６６を介して裏面側６０ｂに引っ張られるため、配線端子コネクタ６７Ａはコードコネクタ６２から抜く方向に力が働かないので脱抜を防止できる。」（段落【００１４】）
　　　　　　　　　　　　　　　
（記載事項ｅ）
「　尚、前記の配線端子コネクタ６７Ａは電気配線基板６０の表側６０ａに設けるものであるが、従来のように裏側に設け、且つ、挿通孔６６を２個（偶数個）以上形成して、配線コード６８を挿通孔６６を介して、電気配線基板６０の裏面側６０ｂから表面側６０ａに、及び、表面側６０ａから裏面側６０ｂに配線しても、引張力は挿通孔６６で停止されて、配線端子コネクタ６７Ａの脱抜を防止できる。即ち、配線端子コネクタ６７Ａが、電気配線基板６０の表側６０ａであっても裏側６０ｂであっても、配線コード６８を挿通孔６６を介して配線することによって脱抜防止を図ることができる。尚、前記電気配線基板６０は入賞装置に付設する例で説明したが、他の形式の電気配線基板に対しても適用できるし、パチンコ機に限らず、スロットマシン等、他の遊技機においても有効な手段である。」（段落【００１５】）
　　　　　　　　　　　　　　　　
　これらの記載、及び、特に、
(i)「プリント配線に電気的に接続の雄型ピンのランプコネクタ６１」という記載（記載事項ｃ）、「ランプ６４をランプコネクタ６１に差し込み」という記載（記載事項ｃ）から、ランプ６４等の電気部品が「電気的に接続」されていることは明らかであること、
(ii)図３（Ｃ）の記載、及び、「コードコネクタ６２に配線端子コネクタ６７Ａを結合」という記載（記載事項ｃ）から、コードコネクタ６２の「配線取り出し口」は、電気配線基板６０の表面側６０ａであり且つ電気配線基板６０に対して垂直方向を向く構成であることは明らかであること、
(iii)「配線端子コネクタ６７Ａを取り付けた状態の配線コード６８をコードコネクタ６２に結合」という記載（記載事項ｃ）及び図３（Ｃ）の記載から、「配線コード６８の「端部」に「接続」の配線端子コネクタ６７Ａを前記コードコネクタ６２に「結合」」していることは明らかであること、
　 　　　　　　　　　　　　 　　　　　　
を勘案すれば、引用例には、次の発明（以下、「引用発明」という。）が記載されていると認められる。
　　　　　　　　　　　　　　　　　　　　　　　　　　
「　コードコネクタ６２を介して電気的に接続されるプリント配線に、ランプ６４等の電気部品が電気的に接続され、普通入賞口９ａ（固定体）にビス止めされる電気配線基板６０を有するパチンコ機１であって、
　前記コードコネクタ６２の配線取り出し口は、電気配線基板６０の表面側６０ａであり且つ電気配線基板６０に対して垂直方向を向く構成とし、かつ、電気配線基板６０の縁部に切欠部６６ａを設け、
　配線コード６８の端部に接続の配線端子コネクタ６７Ａを前記コードコネクタ６２に結合するとともに、前記切欠部６６ａを介して、前記配線コード６８を電気配線基板６０の裏面側６０ｂに導くパチンコ機１。」
　　　　　　　　　　　　　　　 　　　　　　　　　
３．対比 
　そこで、本願発明と引用発明とを比較すると、引用発明のａ「コードコネクタ６２」、ｂ「電気的に接続」、ｃ「プリント配線」、ｄ「ビス止め」、ｅ「電気配線基板６０」、ｆ「パチンコ機１」、ｇ「表面側６０ａ」、ｈ「縁部」、ｉ「切欠部６６ａ」、ｊ「配線コード６８」、ｋ「配線端子コネクタ６７Ａ」、ｌ「裏面側６０ｂ」、ｍ「普通入賞口９ａ（固定体）」は、本願発明のａ「コードコネクタ」、ｂ「電気接合」、ｃ「電気回路」、ｄ「取付」、ｅ「電気配線基板」、ｆ「遊技機」、ｇ「表面側」、ｈ「側端部」、ｉ「切り欠き部」、ｊ「配線コード」、ｋ「配線端子コネクタ」、ｌ「裏側」、ｍ「固定体」に相当し、引用発明のｎ「ランプ６４」と本願発明のｎ「ＬＥＤ」とは、ｎ「光源」という点で共通している。
　　　　　　　 　　　　　　　　　　　　　
　よって、両者は、 
「　コードコネクタを介して電気接合される電気回路に、光源等の電気部品が電気的に接続され、固定体に取付けられる電気配線基板を有する遊技機であって、
　前記コードコネクタの配線取り出し口は、電気配線基板の表面側とし、かつ、電気配線基板の側端部に切り欠き部を設け、
　配線コードの端部に接続の配線端子コネクタを前記コードコネクタに結合するとともに、前記切り欠き部を介して、前記配線コードを電気配線基板の裏側に導く遊技機。」
　　　　　　　　　　　　　　　　　　
である点で一致し、以下の点で相違する。 
　　　　　　　　　          　　　　　　　
　相違点１
　光源が、本願発明では、ＬＥＤであるのに対して、引用発明では、ランプ６４である点。
　　　　　　　　　
　相違点２ 
　コードコネクタの配線取り出し口が、本願発明では、側方を向く構成であるのに対して、引用発明では、電気配線基板に対して垂直方向を向く構成である点。
　　　　　　　　　　　　
　相違点３
　切り欠き部が、本願発明では、コードコネクタの幅よりも小さな幅であるのに対して、引用発明では、コードコネクタの幅よりも小さな幅であるか否かは明らかでない点。
　　　　　　　　　　　　　　　　　　　　　　　　　　　 
４．判断 
　前記相違点について検討する。 
　前記相違点１について検討する。 
　光源として、ＬＥＤは文献を提示するまでもなく周知技術であるから、引用発明において、光源として、単に周知技術であるＬＥＤを採用することは、当業者が適宜なし得る設計的事項にすぎない。
　　　　　　　　　　　　　
　前記相違点２について検討する。
　側方、すなわち、電気配線基板と平行な方向にコードコネクタの配線取り出し口を設けることは周知技術（例えば、特開平９−１０６８４２号公報（特に、段落【０００３】、図９を参照。）、特開平７−２０４３２６号公報（特に、段落【００２５】〜【００２８】、図６を参照。）を参照。）であるから、引用発明において、コードコネクタの配線取り出し口を、前記周知技術の如く側方を向く構成として、相違点２に係る本願発明の如く構成することは、当業者が容易に想到できることである。
　　　　　　　　　　　　　
　前記相違点３について検討する。
　切り欠き部をコードコネクタの幅よりも小さな幅とすることは周知技術（例えば、特開平９−７１４号公報（特に、段落【００３３】〜【００３４】、図２２を参照。）、特開平９−７３１号公報（特に、段落【００３４】〜【００３５】、図２２を参照。）を参照。）であるから、引用発明において、切り欠き部を、前記周知技術の如くコードコネクタの幅よりも小さな幅として、相違点３に係る本願発明の如く構成することは、当業者が容易に想到できることである。
　　　　　　　　　　　 　　　　　　　
　また、本願発明の奏する効果は、前記引用発明に前記周知技術を適用したものから当業者が容易に予測し得るものであって、格別顕著なものではない。 
　　　　　　　 　　　　　　　　　　
５．むすび 
　以上のとおり、本願発明は、引用例記載の発明、及び、前記周知技術に基づいて、当業者が容易に発明をすることができたものであるから、特許法第２９条第２項の規定により特許を受けることができない。 
　よって、結論のとおり審決する。